(57)【要約】【課題】透水性に優れていると共に、道路や屋上など、任意の場所に容易に施工でき、しかも古くなって劣化したりすると破砕して撤去したり、土壌に混ぜ込んだりでき、かつ屋上敷設に適するように断熱性と軽量化に富み、草花などの育成も可能なように保水性や透水性に富んだ雑草抑制部を実現する。【解決手段】木材から産出する直径１５ｍｍ以下の木粒主材７０〜５０％に対し砂を３０〜５０％の割合で配合し、白色セメントをセットにして木粒骨材資材を提供する。この資材を用いて、木材から産出する直径１５ｍｍ以下の木粒主材と砂と白色セメントと水を配合して、３ｃｍ以上の厚さに施工することによって、雑草抑制部を実現する。【選択図】          図１
2004350543.tif 000002
【特許請求の範囲】
【請求項１】
少なくとも、木材から産出する直径１５ｍｍ以下の木粒主材と砂と白色セメントと水を配合することによって、３ｃｍ以上の厚さに形成されていることを特徴とする雑草抑制構造。
【請求項２】
少なくとも、木材から産出する直径１５ｍｍ以下の木粒主材と砂と白色セメントと水を配合して、３ｃｍ以上の厚さに施工することを特徴とする雑草抑制部の施工方法。
【請求項３】
少なくとも、木材から産出する直径１５ｍｍ以下の木粒主材と砂と白色セメントと水を配合して施工した雑草抑制部に草花などの植物を育成してなることを特徴とする植栽構造。
【請求項４】
少なくとも、木材から産出する直径１５ｍｍ以下の木粒主材と砂と白色セメントと水を配合することによって形成されていることを特徴とする木粒製品。
【請求項５】
少なくとも、木材から産出する直径１５ｍｍ以下の木粒主材７０〜５０％に対し砂を３０〜５０％の割合で配合し、白色セメントをセットにしてあることを特徴とする木粒骨材資材。
【発明の詳細な説明】
【０００１】
【産業上の利用分野】
本発明は、ジョギングコースや公園、歩道、道路などにおける雑草抑制や緑化育成、住宅などの緑化・断熱・透水性処理などの技術に関する。通路などに雑草抑制材を施工する場合、降雨が自然に地下に浸透できるように、透水性に富んでいることが肝要である。また、草花を育成し緑化できるように、天然の土壌により近い性質の実現が望まれる。
【０００２】
【従来の技術】
従来の雑草抑制材として、特開２００２−２５３１０７号のように、社会的に発生する不要物によって、廃棄物利用透水性バイオ泥土固化材（雑草抑制材）を製造することが提案されている。
【０００３】この技術における雑草抑制材制作の基本配合は、水道浄化泥土や焼却灰、道路清掃廃材、セメント系固化材、ワラなどをミキサーで練り混ぜ、
枠に入れて固め、これをカッターで切断して使用するものである。
【０００４】
【発明が解決しようとする課題】
この技術では、廃棄剪定木葉粉砕物を用いることも提案されているが、木質材の使用量が少ないため、天然の有機質としての性質が弱く、また充分な透水性を実現できるか不安がある。また、枠に入れて固めた後、カッターで切断して使用するので、道路などに直接施工するような用途には不向きである。さらに、一度施工した後に、破砕して撤去したり、土壌に混ぜ込んだりするのには不向きである。
【０００５】近年、屋上に透水性材を敷設して、屋上緑化したり、屋上断熱などを行なうことが要望されているが、前記のような技術では、軽量化が困難であり、また断熱性が不十分なため、屋上に適用するには問題がある。しかも、
透水性や保水性に問題があるため、芝生や草花などの植物を育成したりするのには適しない。
【０００６】本発明の技術的課題は、このような問題に着目し、透水性に優れていると共に、道路や屋上など、任意の場所に容易に施工でき、しかも古くなって劣化したりすると破砕して撤去したり、土壌に混ぜ込んだりでき、かつ屋上敷設に適するように断熱性と軽量化に富み、草花などの育成も可能なように保水性や透水性に富んだ技術を実現することにある。
【０００７】
【課題を解決するための手段】
本発明の技術的課題は次のような手段によって解決される。請求項１は、少なくとも、木材から産出する直径１５ｍｍ以下の木粒主材と砂と白色セメントと水を配合して、３ｃｍ以上の厚さに形成されていることを特徴とする雑草抑制構造である。木材から産出した１５ｍｍ大以下の木粒としては、例えばおが屑などが適している。また、砂としては、塩分を含んでいない川砂が適している。
【０００８】このように、木材から産出する直径１５ｍｍ以下の木粒主材と砂と白色セメントと水を配合して、３ｃｍ以上の厚さに形成されている雑草抑制構造であるため、３ｃｍ以上の厚さにコンクリート状に施工することで、太陽光が下側まで透過不能となるので、光不足で雑草の発芽や成長が阻害され、雑草抑制が実現される。また、主材である木粒は、施工時の水分が養生によって蒸発し収縮するために隙間が生じるので、水や空気の通過が容易になり、透水性が効果的に発揮される。
【０００９】さらに、木粒を主材として用いるので、砂のみを骨材として用いる場合に比べて、性質が天然の土壌に近く、強度が弱いため、長期間使用した後は、鍬などによって容易に破砕して撤去したり、土壌に混ぜ込んだりでき、
天然の土壌と同じように扱える。また、主材木粒の保水性や透水性によって、
土壌付きの草花が根づくことができるため、芝生などの植物を育成することも可能となる。
【００１０】請求項２は、少なくとも、木材から産出する直径１５ｍｍ以下の木粒主材と砂と白色セメントと水を配合して、３ｃｍ以上の厚さに施工することを特徴とする雑草抑制部の施工方法である。
【００１１】このように、少なくとも、木材から産出する直径１５ｍｍ以下の木粒主材と砂と白色セメントと水を配合して、３ｃｍ以上の厚さに施工する施工方法によると、主材として木粒を使用するため軽量であり、運搬や混練、施工などの人手による作業が容易で楽になる。しかも、水で混練した状態では適度の粘性があるため、成型が容易であり、歩道や雑草抑制部などとして施工す
るのも容易である。
【００１２】請求項３は、少なくとも、木材から産出する直径１５ｍｍ以下の木粒主材と砂と白色セメントと水を配合して施工した雑草抑制部に草花などの
植物を育成してなることを特徴とする植栽構造である。
【００１３】このように、木材から産出する直径１５ｍｍ以下の木粒主材と砂と白色セメントと水を配合して施工した雑草抑制部は、木粒主材による保水性
や透水性に富んでいて性質が天然の土壌に近いため、その上に土壌が付いたま
まの芝生などのような草花などの植物を育成した状態にできる。その結果、雑
草を抑制した状態で、草花などが生育した状態を維持でき、環境の緑化に適し
ている。
【００１４】請求項４は、少なくとも、木材から産出する直径１５ｍｍ以下の木粒主材と砂と白色セメントと水を配合して形成されていることを特徴とする
木粒製品である。
【００１５】このように、木材から産出する直径１５ｍｍ以下の木粒主材と砂と白色セメントと水を配合して形成されている木粒製品は、主材である木粒は
、施工時の水分が養生によって蒸発し収縮するために隙間が生じるので、水や
空気の通過が容易になり、透水性が効果的に発揮される。したがって、透水性
の板やブロック、植木鉢やプランターなどとして極めて有効である。工事現場
などにおける仮設の通路などに使用し、工事完了後に破砕して土壌に混ぜ込ん
だりもできる。
【００１６】さらに、木粒を主材として用いているため、軽量となり、しかも断熱性も良いため、屋上などに設置して断熱材としても利用できる。また、透
水性や保水性が良く、植物が主材木粒に根づくことができるため、屋上などに
おいて、土壌付きの草花を張って育成し、屋上緑化なども可能となる。
【００１７】長期間使用している間に劣化し、強度も弱くなるため、鍬などで容易に破砕して撤去したり、土壌に混ぜ込んだりできるので、取り扱いも容易であり、後始末も便利である。
【００１８】請求項５は、少なくとも、木材から産出する直径１５ｍｍ以下の木粒主材７０〜５０％に対し砂を３０〜５０％の割合で配合し、白色セメントをセットにしてあることを特徴とする木粒骨材資材である。
【００１９】このように、木材から産出する直径１５ｍｍ以下の木粒主材７０〜５０％に対し砂を３０〜５０％の割合で配合し、さらに白色セメントをセットにしてある骨材資材は、雑草抑制や透水に適した材料・配合になっているため、この骨材資材を購入して来て、これらを混合し水で混練するだけで、雑草抑制部を施工したり、木粒製品を製造できるので、ユーザーに便利で好都合となる。
【００２０】
【発明の実施の形態】
次に本発明による雑草抑制構造と雑草抑制透水施工方法が実際上どのように具体化されるか実施形態を説明する。図１は本発明による雑草抑制部を模式的に示した断面図であり、道路の植樹帯に適用した例である。縁石１、２の間において、地盤３上に本発明による雑草抑制部４を施工してあり、中央には街路樹などの植木５を植えてある。
【００２１】この雑草抑制部４は、木粒６と砂７からなる骨材を白色セメントで固めた構成になっている。骨材中の木粒６と砂７との配合比は、７対３程度が適している。また、白色セメントと混ぜて施工する際の水分の比率を少なめにすることによって、空隙が発生し易くして、多孔質の雑草抑制部にしてある。
【００２２】図２は、この雑草抑制部の施工方法を工程順に示すフローチャートである。本発明の場合、ステップＳ１において、骨材として、木粒主材となるおが屑と砂を用意する。骨材中における木粒主材と砂との配合割合は、木粒主材７０％に対し砂３０％程度が最も効果的である。木粒主材としては、容易に入手できるおが屑が適している。
【００２３】このように、通常の砂と主材となるおが屑からなる骨材に白色セメントを混ぜるが、分量としては、骨材１０ｋｇに対し、白色セメントを２．５〜４ｋｇの割合で配合する。そして、ステップＳ２において、水を５〜９リットル程度加えて、混練する。水を加える前の骨材と白色セメントの状態が、乾燥状態の場合は、水を多めに、例えば７〜９リットル程度配合し、湿った状態の場合は、水を少なめに、例えば５〜７リットル程度配合して、混ぜ合わせる。
【００２４】前記のような配合割合の水は、通常のコンクリートの場合に比べ
ると、少なめである。その結果、養生後は隙間が多く、多孔質となる。したがって、透水性に富んだ雑草抑制部となる。
【００２５】このように水を少なめに混練した雑草抑制材を、ステップＳ３に
おいて、厚さ４〜５ｃｍ程度の厚さに打設すると、ステップＳ４で養生した後は、隙間の多い多孔質で層状の前記雑草抑制部４となる。多孔質ではあるが、
４〜５ｃｍ程度の厚さがあると、太陽光が届かないため、土壌中の種子の発芽生育は不可能である。
【００２６】この雑草抑制部４は、多孔質なため透水性に富んでいる。したがって、雨が降ったりしても、雑草抑制部４を透過して地盤３中に浸透していき、地盤３中に補水される。その結果、植木５にとっても好都合であるだけでなく、雑草抑制部４の上や周囲に水たまりが出来たり、水流が発生するのを抑制できる。したがって、歩道や公園内の通路、ジョギングコースなどの透水舗装にも適している。
【００２７】また、骨材中の木粒主材の分量が多いので、有機質である木粒のために、比較的軟質の雑草抑制部となり、弾力に富み衝撃の少ないジョギングコースを実現できる。また、木粒は、水分の吸収保持に適しているので、保水性に富んだ雑草抑制部となり、植物に好都合である。さらに、木粒中の水分が蒸発し乾燥すると、多孔質の雑草抑制部における空隙が更に増加するので、通気性や透水性が一層良くなり、草花などの植物や植木５の生育にも適した環境となる。
【００２８】このように、有機物である木粒主材が骨材中の５０％以上も含ん
でいて、植物の生育に適した環境となるので、雑草抑制部４の上に、芝生や草花を土壌が付着したまま張っておくと、自然に活着し、生育することが可能となる。したがって、通常のコンクリートの上には芝生や草花を育成できないのに比べると、道路や公園などを緑化して美化する上で極めて有効である。
【００２９】本発明の雑草抑制部は、有機質の木粒主材を多く含んでいて、軟
質で弾性に富んでいるため、破砕して土壌中に混ぜ込むこともでき、修復なども容易である。特に、有機物の木粒主材は、長期間使用している間に腐朽してしまうので、使用後に耕転して土壌中に混ぜ込むのは容易である。また、腐朽によって空隙が形成されると、透水性や通気性はさらに向上する。この隙間に土が流入すると、木粒主材の代替作用によって、植物の生育に好都合な環境を維持できる。
【００３０】本発明の骨材は、木粒主材７０％に対し砂３０％程度が最も効果的で
あるが、必要に応じて、あるいは他の条件に応じて、木粒主材を７０〜５０％の範囲とし、砂を３０〜５０％の範囲とすることも可能である。砂を５０％以上とし、木粒主材を５０％以下にすると、木粒主材が少なすぎて、雑草抑制部が硬すぎてしまい、コンクリート状となる。木粒主材が３０％以下になると、有機物である木粒主材としての効果がほとんど期待できなくなってしまう。
【００３１】以上のように、雑草抑制部を道路などの屋外に適用する例を説明
したが、住宅その他の建造物の屋上にも適用できる。例えば、屋上に層状に敷設すると、多孔質で通気性や透水性に富んでいることによって、断熱性も向上し、断熱効果によって、建物の内部の温度上昇を寒冷化を効果的に抑制できる。
【００３２】また、雑草抑制部を敷設して、その上に芝生や草花などの植物を土壌が付着したまま張っておけば、植物は引き続いて育つので、屋上の緑化なども可能となる。
【００３３】以上の実施形態は、雑草抑制部として施工する例であるのに対し、雑草抑制部４を施工する材料を用いて、木粒製品として、ブロックや板状体、植木鉢、プランター、花壇の枠などを製造することもできる。すなわち、前記のような割合で配合した木粒主材と砂と白色セメントと水を混練して適当な型に流し込んで成型することによって、透水性に富んだ製品が得られる。また、田んぼの畦道の形成や農地・敷地などの仕切り形成などにも利用できる。
【００３４】以上の実施形態において、木粒主材として、おが屑の例をあげたが、伐採した天然木材や木の枝などをチップ状に加工して、１５ｍｍ程度以下のサイズにした木片なども木粒主材として使用できる。１５ｍｍを越えると、
骨材としては大き過ぎて、成型や施工に支障を来すことになる。
【００３５】なお、水で混練する際に、種々の色の色粉を混ぜ込むと、雑草抑制部や木粒製品のカラー化も可能である。
【００３６】本発明の実施に際しては、前記のような雑草抑制部や木粒製品を製造するための骨材のみを製品として販売することもできる。すなわち、おが屑などの木粒主材７〜５割に対して砂３〜５割の割合で配合しておき、さらに２．５〜４ｋｇ程度の白色セメントをセットにして販売すれば、ユーザーにとって重宝である。
【００３７】
【発明の効果】
請求項１のように、木材から産出する直径１５ｍｍ以下の木粒主材と砂と白色セメントと水を配合して、３ｃｍ以上の厚さに形成されている雑草抑制構造であるため、３ｃｍ以上の厚さにコンクリート状に施工することで、太陽光が下側まで透過不能となり、光不足で雑草の発芽や成長が阻害され、雑草抑制が実現される。また、主材である木粒は、施工時の水分が養生によって蒸発し収縮するために隙間が生じるので、水や空気の通過が容易になり、透水性が効果的に発揮される。
【００３８】さらに、木粒を主材として用いるので、砂のみを骨材として用いる場合に比べて、性質が天然の土壌に近く、強度が弱いため、長期間使用した後は、鍬などによって容易に破砕して撤去したり、土壌に混ぜ込んだりでき、
天然の土壌と同じように扱える。また、主材木粒の保水性や透水性によって、
土壌付きの草花が根づくことができるため、芝生などの植物を育成することも可能となる。
【００３９】請求項２のように、木材から産出する直径１５ｍｍ以下の木粒主
材と砂と白色セメントと水を配合して、３ｃｍ以上の厚さに施工する施工方法によると、雑草抑制部を容易に施工できる。また、主材として木粒を使用するため軽量であり、運搬や混練、施工などの人手による作業が容易で楽になる。
しかも、水で混練した状態では適度の粘性があるため、成型が容易であり、歩道や雑草抑制部などとして施工するのも容易である。
【００４０】請求項３のように、木材から産出する直径１５ｍｍ以下の木粒主材と砂と白色セメントと水を配合して施工した雑草抑制部は、木粒主材による保水性や透水性に富んでいて性質が天然の土壌に近いため、その上に土壌が付いたままの芝生などのような草花などの植物を育成できる。その結果、雑草を抑制した状態で、草花などが生育した状態を維持でき、環境の緑化に適している。
【００４１】請求項４のように、木材から産出する直径１５ｍｍ以下の木粒主材と砂と白色セメントと水を配合して形成されている木粒製品は、主材である木粒は、施工時の水分が養生によって蒸発し収縮するために隙間が生じるので、水や空気の通過が容易になり、透水性が効果的に発揮される。したがって、
透水性の板やブロック、植木鉢やプランターなどとして極めて有効である。工事現場などにおける仮設の通路などに使用し、工事完了後に破砕して土壌に混ぜ込んだりもできる。
【００４２】さらに、木粒を主材として用いているため、軽量となり、しかも断熱性も良いため、屋上などに設置して断熱材としても利用できる。また、透水性や保水性が良く、植物が主材木粒に根づくことができるため、屋上などにおいて、土壌付きの草花を張って育成し、屋上緑化なども可能となる。
【００４３】長期間使用している間に劣化し、強度も弱くなるため、鍬などで容易に破砕して撤去したり、土壌に混ぜ込んだりできるので、取り扱いも容易であり、後始末も便利である。
【００４４】請求項５のように、木材から産出する直径１５ｍｍ以下の木粒主材７０〜５０％に対し砂を３０〜５０％の割合で配合し、さらに白色セメントをセットにしてある骨材資材は、雑草抑制や透水に適した材料・配合になっているため、この骨材資材を購入して来て、これらを混合し水で混練するだけで、雑草抑制部を施工したり、木粒製品を製造できるので、ユーザーに便利で好都合となる。
【図面の簡単な説明】
【図１】本発明による雑草抑制部を模式的に示した断面図である。
【図２】雑草抑制部の施工方法を工程順に示すフローチャートである。
【符号の説明】
１・２  縁石
３  地盤
４  雑草抑制部
６  木粒
７  砂
【図１】
2004350543.tif 000003
【図２】
2004350543.tif 000004